(57)【要約】  放音部の外側に露出したケーブルが使用者の指等に絡んだりするという問題を解消することが目的の一例として挙げられる。この目的を達成するために、ヘッドホン装置（１）は、振動板（４９）を有するスピーカ装置（４８）を収容した放音部（２）と、スピーカ装置に電気信号を導通するケーブル部（４３）とを備え、放音部に対して脱着可能なケーブル部が、放音部の下部側から放音部内に入れられ、放音部内で振動板の音放射方向において振動板よりも径方向外側に配置され、放音部の上部側から放音部外に出されている。
2015145775.tif 000002
【特許請求の範囲】
【請求項１】
振動板を有するスピーカ装置を収容した放音部と、
前記スピーカ装置に電気信号を導通するケーブル部と、を備え、
前記放音部に対して脱着可能な前記ケーブル部が、前記放音部の下部側から前記放音部内に入れられ、前記放音部内で前記振動板の音放射方向において前記振動板よりも径方向外側に配置され、前記放音部の上部側から前記放音部外に出されていることを特徴とするヘッドホン装置。
【請求項２】
前記放音部の上部側に設けられ、前記スピーカ装置と電気的に接続された放音部側コネクタと、
前記放音部の上部側から前記放音部外に出された前記ケーブル部の端部に設けられ、前記放音部側コネクタに接続されるケーブル側コネクタと、を備えていることを特徴とする請求項１記載のヘッドホン装置。
【請求項３】
前記放音部をヘッドバンド部に接続するアーム部を備え、
前記放音部側コネクタと、前記放音部側コネクタに接続された前記ケーブル側コネクタとが、前記放音部を耳に装着した際の使用者に対して前記アーム部よりも内側に配置されていることを特徴とする請求項２記載のヘッドホン装置。
【請求項４】
前記放音部側コネクタと、前記放音部側コネクタに接続された前記ケーブル側コネクタとが、前記アーム部よりも後側に配置されていることを特徴とする請求項３記載のヘッドホン装置。
【請求項５】
前記放音部の上部側から前記放音部外に出された前記ケーブル部が、前記放音部を耳に装着した際の使用者に対して前記アーム部よりも内側に配置されていることを特徴とする請求項１記載のヘッドホン装置。
【請求項６】
前記放音部に、前記ケーブル部を通す溝部が設けられていることを特徴とする請求項１記載のヘッドホン装置。
【請求項７】
前記ケーブル部が複数のケーブルを備え、前記複数のケーブルが前記溝部内で前記溝部の深さ方向に並んで配置され、前記複数のケーブルのうちの一のケーブルが前記溝部内で前記スピーカ装置に近い側に配置され、前記複数のケーブルのうちの他のケーブルが前記溝部内で前記スピーカ装置から遠い側に配置されていることを特徴とする請求項６記載のヘッドホン装置。
【請求項８】
前記溝部がクッション部材で覆われていることを特徴とする請求項６記載のヘッドホン装置。
【請求項９】
前記ケーブル部がブロック部を備え、前記放音部における前記溝部に続く凹部に前記ブロック部がねじ止めで固定されていることを特徴とする請求項６記載のヘッドホン装置。
【請求項１０】
前記放音部がケースとイヤパッドとを備え、前記イヤパッドが前記ケースに対して脱着可能であり、前記イヤパッドを離脱させた際に前記ケース側に露出する壁部に前記溝部が設けられていることを特徴とする請求項６記載のヘッドホン装置。
【請求項１１】
放音部とヘッドバンド部とを接続するアーム部と、
前記ヘッドバンド部に対して前記アーム部を前記放音部の径方向に回転移動させるための回転機構と、
前記回転機構に設けられ、前記アーム部の前記回転移動を制止する制御部と、を備えたことを特徴とするヘッドホン装置。
【請求項１２】
前記放音部と前記アーム部とが左右各一対配置され、前記回転機構と前記制御部とが左右各一対配置されていることを特徴とする請求項１１記載のヘッドホン装置。
【請求項１３】
前記回転機構は、前記ヘッドバンド部に設けられたヘッドバンド部側回転部と、前記アーム部に設けられたアーム部側回転部と、前記ヘッドバンド部側回転部及び前記アーム部側回転部に共通に配置される回転用の軸部とを備え、
前記ヘッドバンド部側回転部に対して前記アーム部側回転部が前記軸部の周りを回転することで、前記ヘッドバンド部に対して前記アーム部が回転移動することを特徴とする請求項１１記載のヘッドホン装置。
【請求項１４】
前記ヘッドバンド部側回転部と前記アーム部側回転部とに、前記軸部を挿入するための孔部が設けられ、前記軸部に固定部材を入れるための孔部が設けられていることを特徴とする請求項１３記載のヘッドホン装置。
【請求項１５】
前記制御部は、前記ヘッドバンド部側回転部に設けられた第一の孔部と、前記アーム部側回転部に設けられた第二の孔部と、前記第一の孔部及び前記第二の孔部に挿入されるロックピンと、で構成されていることを特徴とする請求項１３記載のヘッドホン装置。
【請求項１６】
前記第一の孔部と前記第二の孔部とが、前記軸部よりも前記アーム部側回転部の付根寄りに配置されていることを特徴とする請求項１５記載のヘッドホン装置。
【請求項１７】
前記回転機構には、前記制御部を覆うカバー部材が備えられていることを特徴とする請求項１１記載のヘッドホン装置。
【請求項１８】
前記カバー部材を前記回転機構に取り付けるための固定部材が備えられていることを特徴とする請求項１７記載のヘッドホン装置。
【発明の詳細な説明】
【技術分野】
【０００１】
本発明は、放音部を備えるヘッドホン装置に関するものである。
【背景技術】
【０００２】
例えば特許文献１には、片出しコードタイプのヘッドホン装置（図示せず）が開示されている。このヘッドホン装置にあっては、音響機器のヘッドホン接続端子に接続する入力コード（ケーブル）が左側のヘッドホン本体（放音部）から下向きに引き出され、左側のヘッドホン本体の下部に入力コードが固定されている。【０００３】
右側のヘッドホン本体内の電気音響変換部への入力コードはヘッドバンド内を通って、左側のヘッドホン本体内の電気音響変換部への入力コードに一括されている。入力コードの引き出しを片側のヘッドホン本体にまとめることで、コード配線がすっきりとしている。【０００４】
図１は、従来のヘッドホン装置の他の形態を示すものである。このヘッドホン装置３５にあっては、ケーブル３６が放音部３７のケース３８の外側面（使用者の耳から遠い側の面）３８ａの保持部３９に脱着可能に固定されている。使用者は、保持部３９のねじ３９ａを外して、ケーブル３６を新しいものと交換することができる。【０００５】
また、例えば特許文献２には、バンド部に対して放音部側のアーム部を回転移動可能としたヘッドホン装置（図示せず）が開示されている。左右の両チャンネルのアーム部がバンド部に対して使用者の頭部の例えば前後方向に回転移動可能である。【０００６】
このヘッドホン装置は、バンド部の各先端部に連結された一対の押付部と、一端に押付部を連結し、他端にスピーカを連結して、スピーカを所定位置に支持する支持アームとを有している。押付部と使用者の側頭部との接触面に対して直交する左右方向の軸線を中心として、支持アームを側頭部の例えば前後方向に回転移動可能としている。
【先行技術文献】
【特許文献】
【０００７】
【特許文献１】特開２００５−２９５４６１号公報
【特許文献２】特開２０１３−１７２３７１号公報
【発明の概要】
【発明が解決しようとする課題】
【０００８】
例えば上記特許文献１に記載されたヘッドホン装置や、他の一般的なヘッドホン装置において、最も多い故障の原因は、放音部内のスピーカ装置へ音声信号を供給するケーブルの故障である。一般的に、ケーブルは放音部に固定されているので、使用者が新しいケーブルに交換することは困難である。これに対し、上記図１に示すヘッドホン装置３５にあっては、その問題が解消されている。【０００９】
しかしながら、図１に示すヘッドホン装置３５（第１の従来技術と言う）にあっては、放音部３７とヘッドバンド部４０とを接続するアーム部４１の外側（使用者の頭部から遠い側）にケーブル３６が大きく露出している。このため、使用者の頭部への放音部３７の装着状態を頻繁に変えるＤＪ（ディスクジョッキ）用等として使用する場合、ケーブル３６が使用者の手指等に絡んだりするおそれがあり、ケーブル３６が手指等に頻繁にあるいは強く絡んだ場合等には、ケーブル３６が断線したりする懸念があった。【００１０】
また、放音部３７の外側面３８ａにケーブル用保持部３９が突出しているために、使用者によっては手の平（ひら）等に違和感を感じて、例えばＤＪ操作等を行いにくいという懸念があった。【００１１】
また、上記特許文献２に記載されたヘッドホン装置やそれに類するヘッドホン装置に関しては、例えば、従来のヘッドホン装置をＤＪ（ディスクジョッキ）用等として使用する場合、ＤＪ（使用者）が、ヘッドホン装置の左右何れか一方のチャンネルの音のみを聞き、左右何れか他方のチャンネルの放音部は、例えばダンスホールやパーティ会場等といったホール内の音を聞くために例えば前後方向に回転移動（スイング）させておく、といった動的な使い方をする場合がある。左右のどちらのチャンネルの放音部を回転移動させ、どちらのチャンネルの放音部を回転移動ないでおくかは、ＤＪ（使用者）によって異なる。なお、「チャンネル」とは、例えば音声信号の伝送路といった意味である。【００１２】
また、例えばＤＪ以外の使用者においても、例えばヘッドホン装置でじっくり音楽を聴くといった一般的な（静的な）使い方をする場合は、両チャンネルの放音部が共に回転移動しない方がよい場合もある。【００１３】
しかしながら、上記特許文献２に記載されたヘッドホン装置やそれに類するヘッドホン装置（第２の従来技術と言う）にあっては、これらの場合に上手く対応できないという問題があった。すなわち、例えば、ＤＪ（使用者）がヘッドホン装置の一方の放音部を一方の耳に当て、他方の放音部を他方の耳から回転移動させて作業（ＤＪ操作）を行う場合に、例えば、耳に当てた一方の放音部がバンド部に対して意に反して回転移動して、ＤＪ（使用者）が自分の流した音楽を聞き損じたり、あるいは耳に当てた一方の放音部に対してバンド部が意に反して回転移動してＤＪ（使用者）の頭部からずれ落ちてしまったりして、作業に集中できなくなるといった懸念があった。【００１４】
また、使用者が音楽をじっくり聴きたい場合に、両方の耳に当てた両方の放音部のうちの何れかが、あるいは両方がバンド部に対して意に反して回転移動してしまったり、あるいは両方の耳に当てた両方の放音部に対してバンド部が意に反して回転移動して使用者の頭部からずれ落ちてしまったりして、音楽を集中して聴くことができなくなるといった懸念があった。【００１５】
本発明が解決しようとする課題としては、上記した第１の従来技術において生じる、放音部の外側に露出したケーブルが使用者の指等に絡んだり、放音部の外側に突出したケーブル保持部が使用者の手の平に違和感を生じさせるという問題が一例として挙げられる。また、上記した第２の従来技術において生じる、使用者の意に反して放音部がアーム部と共にヘッドバンド部に対して回転移動してしまう場合があるという問題が一例として挙げられる。
【課題を解決するための手段】
【００１６】
請求項１記載のヘッドホン装置は、振動板を有するスピーカ装置を収容した放音部と、前記スピーカ装置に電気信号を導通するケーブル部と、を備え、前記放音部に対して脱着可能な前記ケーブル部が、前記放音部の下部側から前記放音部内に入れられ、前記放音部内で前記振動板の音放射方向において前記振動板よりも径方向外側に配置され、前記放音部の上部側から出されていることを特徴とする。【００１７】
請求項１１記載のヘッドホン装置は、放音部とヘッドバンド部とを接続するアーム部と、前記ヘッドバンド部に対して前記アーム部を前記放音部の径方向に回転移動させるための回転機構と、前記回転機構に設けられ、前記アーム部の前記回転移動を制止する制御部と、を備えたことを特徴とする。
【図面の簡単な説明】
【００１８】
【図１】従来のヘッドホン装置の一形態を示す図である。
【図２】本発明のヘッドホン装置の第１実施形態の第１実施例における一方の放音部側の構造を示す全体図である。
【図３】イヤパッドを外した状態の放音部を示す図である。
【図４】同じく放音部からイヤパッドとケーブルユニットとを外した状態を示す図である。
【図５】同じく放音部からイヤパッドを外した状態で、イヤパッドをその裏側が見えるように反転した図である。
【図６】図３のＣ部を拡大して正面側から見た図である。
【図７】図６の矢視Ｄ−Ｄ相当断面図である。
【図８】本発明のヘッドホン装置の第２実施形態の第１実施例を示す全体図である。
【図９】同じくヘッドホン装置の第１実施例の要部拡大図である。
【図１０】９の矢視Ａ−Ａ部分の概略の断面図である。
【図１１】（ａ）（ｂ）はヘッドホン装置の第２実施例の要部を示す断面図である。
【図１２】ヘッドホン装置の第３実施例の要部を示す断面図である。
【図１３】（ａ）はヘッドホン装置の第４実施例、（ｂ）はヘッドホン装置の第５実施例のそれぞれ要部を示す断面図である。
【図１４】ヘッドホン装置の第７実施例の要部を示す断面図である。
【図１５】ヘッドホン装置の第８実施例の要部を示す斜視図である。
【図１６】ヘッドホン装置の第９実施例の要部を示す断面図である。
【発明を実施するための形態】
【００１９】
以下に、本発明の第１実施形態を説明する。
【００２０】
本発明の第１実施形態に係るヘッドホン装置は、振動板を有するスピーカ装置を収容した放音部と、前記スピーカ装置に電気信号を導通するケーブル部と、を備え、前記放音部に対して脱着可能な前記ケーブル部が、直立している使用者の耳に装着された際の前記放音部の下部側から前記放音部内に入れられ、前記放音部内で前記振動板の音放射方向において前記振動板よりも径方向外側に配置され、前記放音部の上部側から前記放音部外に出されている。
【００２１】
この構成により、ケーブル部が放音部の内部に収容されていることで、従来のケーブルを脱着可能なヘッドホン装置における、放音部の外側に露出したケーブルが使用者の指等に絡んだり、放音部の外側に突出したケーブル保持部が使用者の手の平に違和感を生じさせるといった問題が解消される。ケーブル部は放音部内で振動板よりも径方向外側に配置されているので、振動板による音放射を邪魔することがない。
【００２２】
また、前記放音部の上部側に設けられ、前記スピーカ装置と電気的に接続された放音部側コネクタと、前記放音部の上部側から前記放音部外に出された前記ケーブル部の端部に設けられ、前記放音部側コネクタに接続されるケーブル側コネクタと、を備えている。
【００２３】
この構成により、ケーブル側コネクタと放音部側コネクタとを介してケーブル部が放音部内のスピーカ装置に接続されるから、放音部側コネクタに対してケーブル側コネクタを嵌合ないし離脱させて、ケーブルの交換作業を容易に行うことができる。
【００２４】
また、前記放音部をヘッドバンド部に接続するアーム部を備え、前記放音部側コネクタと、前記放音部側コネクタに接続された前記ケーブル側コネクタとが、前記放音部を耳に装着した使用者に対して前記アーム部よりも内側に配置されている。
【００２５】
この構成により、放音部側コネクタに接続されたケーブル側コネクタがアーム部の陰に隠れていることで、使用者の手指等がケーブル側コネクタに干渉しにくく、ケーブル側コネクタの不意な離脱や、手指等の引っ掛かりによるケーブル側コネクタの変形等が防止される。
【００２６】
また、前記放音部側コネクタと、前記放音部側コネクタに接続された前記ケーブル側コネクタとが、前記放音部を耳に装着した直立している使用者に対して前記アーム部よりも後側に配置されている。この構成により、例えば放音部側コネクタから突出したケーブル側コネクタと、アーム部との干渉が防止されると共に、人間工学的に使用者が放音部を掴みやすく（持ちやすく）なる。
【００２７】
また、前記放音部の上部側から前記放音部外に出された前記ケーブル部が、前記放音部を耳に装着した使用者に対して前記アーム部よりも内側に配置されている。この構成により、放音部の上部側から出されたケーブル部がアーム部の陰に配置されるので、ケーブル部が使用者の手指等に触れたり絡んだりする心配がなくなる。
【００２８】
また、前記放音部に、前記ケーブル部を通す溝部が設けられている。この構成により、溝部内にケーブル部を収容して、放音部内におけるケーブルのガタ付き等を防止することができる。また、溝部に沿ってケーブル部を一定の長さで収容することで、放音部からのケーブル部の突出長さを一定に規定することができる。
【００２９】
また、前記ケーブル部が複数のケーブルを備え、前記複数のケーブルが前記溝部内で前記溝部の深さ方向に並んで配置され、前記複数のケーブルのうちの一のケーブルが前記溝部内で前記スピーカ装置に近い側に配置され、前記複数のケーブルのうちの他のケーブルが前記溝部内で前記スピーカ装置から遠い側に配置されている。
【００３０】
この構成により、二本のケーブルが放音部の径方向ではなく軸方向すなわち溝部の深さ方向に重ねて配列されることで、放音部の径方向の断面積すなわち外径を小さくコンパクトにすることができる。一のケーブルは溝部の深い側に配置され、他のケーブルは溝部の浅い側に配置される。例えば、一のケーブルは溝部を有する直近の一方の放音部のスピーカ装置に接続し、他のケーブルは遠い側の他方の放音部のスピーカ装置に接続することができる。
【００３１】
また、前記溝部がクッション部材で覆われている。この構成により、溝部が放音部で塞がれて、溝部からのケーブル部の離脱が防止される。
【００３２】
また、前記ケーブル部がブロック部を備え、前記放音部における前記溝部に続く凹部に前記ブロック部がねじ止めで固定されている。この構成により、ブロック部のねじ止めによってケーブル部が溝部に固定される。放音部から外部に導出されたケーブル部が引っ張られる等した場合でも、ケーブル部が放音部から外部に引き出されず、外部におけるケーブル部の長さが一定に規定される。
【００３３】
また、前記放音部がケースとイヤパッドとを備え、前記イヤパッドが前記ケースに対して脱着可能であり、前記イヤパッドを離脱させた際に前記ケース側に露出する壁部に前記溝部が設けられている。
【００３４】
この構成により、放音部からイヤパッドを外し、ケース側に露出した壁部の溝部からケーブル部を離脱させ、溝部に新たなケーブル部を装着し、イヤパッドを放音部に再装着して、ケーブルの交換を簡単に行うことができる。
【００３５】
以下に、本発明の第２実施形態を説明する。
【００３６】
本発明の第２実施形態に係るヘッドホン装置は、放音部とヘッドバンド部とを接続するアーム部と、前記ヘッドバンド部に対して前記アーム部を前記放音部の径方向に回転移動させるための回転機構と、前記回転機構に設けられ、前記アーム部の前記回転移動を制止する制御部と、を備えている。
【００３７】
この構成により、使用者の意に反して放音部がアーム部と共にヘッドバンド部に対して回転移動してしまう場合があるという問題が解決される。
【００３８】
また、前記放音部と前記アーム部とが左右各一対配置され、前記回転機構と前記制御部とが左右各一対配置されている。
【００３９】
この構成により、使用者の好みやニーズに合わせて、左側又は右側の回転機構が制御部で回転不能に固定される。あるいは、左右両方の回転機構が制御部で回転不能に固定される。制御部を解除すれば（使用しなければ）、左右両方の放音部をヘッドバンド部に対して回転移動可能である。このように、左右ともに回転移動可能、左側のみ回転移動可能、右側のみ回転移動可能、左右とも回転移動できない、の四種類の選択を使用者が行うことができる。
【００４０】
また、前記回転機構は、前記ヘッドバンド部に設けられたヘッドバンド部側回転部と、前記アーム部に設けられたアーム部側回転部と、前記ヘッドバンド部側回転部及び前記アーム部側回転部に共通に配置される回転用の軸部と、を備え、前記ヘッドバンド部側回転部に対して前記アーム部側回転部が前記軸部の周りを回転することで、前記ヘッドバンド部に対して前記アーム部が回転移動する。
【００４１】
また、前記ヘッドバンド部側回転部と前記アーム部側回転部とに、前記軸部を挿入するための孔部が設けられ、前記軸部に固定部材を入れるための孔部が設けられている。
【００４２】
また、前記制御部は、前記ヘッドバンド部側回転部に設けられた第一の孔部と、前記アーム部側回転部に設けられた第二の孔部と、前記第一の孔部及び前記第二の孔部に挿入されるロックピンと、で構成されている。
【００４３】
この構成により、一本のロックピンでヘッドバンド部側回転部とアーム部側回転部とが同時に簡単且つ確実に（強固に）且つ低コストでロックされる。
【００４４】
また、前記第一の孔部と前記第二の孔部とが、前記軸部よりも前記アーム部側回転部の付根寄りに配置されている。
【００４５】
この構成により、アーム部側回転部の先端側ではなく剛性の高い基端（付根）側においてロックピンが挿入配置されることで、たとえ強い回転力がロックピンにかかった場合でも、回転機構のロックが確実に行われると共に、アーム部側回転部の先端側の破損等が防止される。
【００４６】
また、前記回転機構には、前記制御部を覆うカバー部材が備えられている。また、前記カバー部材を前記回転機構に取り付けるための固定部材が備えられている。この構成により、例えば、制御部におけるロックピン等といった部材をカバー部材で押さえて、回転機構からの制御部の脱落を防止することができる。
【実施例】
【００４７】
以下に、図２〜図７に基づいて、本発明の第１実施形態の実施例に係るヘッドホン装置について説明する。なお、第２実施例以降においては、第１実施例と同様ないし類似の構成部分に便宜上、第１実施例と同じ符号を用いて説明する。第２実施例以降の図示は省略する。【００４８】
（第１実施例）  図２は、本発明の第１実施例のヘッドホン装置１における一方（左側）の放音部２側の構造を示すものである。【００４９】
図２の如く、このヘッドホン装置１は、左右一対の放音部２（右側の放音部については後述の第２実施形態の図８参照）と、各放音部２に上下方向スライド可能に設けられた細長板状のアーム部４と、左右のアーム部４を連結するヘッドバンド部６（図８参照）と、一方（左側）の放音部２の下部側から導入されて一方の放音部２の上部側から導出されたケーブル部４３と、を備えている。【００５０】
さらに、放音部２の上部側から導出された（引き出された）ケーブル部のうちの一のケーブル４４に設けられたケーブル部側コネクタ４６と、放音部２に設けられ、ケーブル部側コネクタ４６を挿入接続させる放音部側コネクタ２４（図８参照）とを備えている。一のケーブル４４は放音部２の上部側から導出された後、下向きにＵターンされて（Ｕターン部を符号４４ａで示す）、ケーブル部側コネクタ４６で放音部側コネクタ２４（図８）に接続されている。【００５１】
ケーブル部４３のうちの他のケーブル４５は一方（左側）の放音部２の上部側から導出されて、アーム部４の内面４ｃ側（使用者の耳に近い側）を通ってヘッドバンド部６（図８）の内面に沿って、他方（右側）の放音部２に導入されている。他のケーブル４５も先端にケーブル側コネクタ４６を有しており、他方の放音部２の放音部側コネクタ２４に挿入接続される。【００５２】
一方の放音部２の下部側から下向きに導出されたケーブル部分４７は、二本のケーブル４４，４５を同時に覆う合成樹脂製の外皮４７ａを有している。下向きに導出されたケーブル部分４７は不図示の音響機器にコネクタ接続される。ケーブル部４３の二本のケーブル４４，４５には、不図示の音響機器からの電気信号が導通される。左右の放音部２の各スピーカ装置４８（図７）は共通グラウンド（図示せず）でアースされている。【００５３】
左右の各アーム部４の上端部８は、ヘッドバンド部６（図８）の各下端部における左右（内外）の壁部１２，１３の間に回転機構５で回転移動可能に連結されている。左右の各放音部２は各アーム部４を介してヘッドバンド部６（図８）に接続されている。【００５４】
各アーム部４は各放音部２の上下方向に貫通した孔部３ｄに上方からスライド自在に挿入されている。アーム部４は合成樹脂で形成され、内側面（使用者の耳に近い側の面）４ｃに複数の突起４ｂを上下方向に並列に有している。突起４ｂに嵌合する部分（図示せず）が孔部３ｄ内に設けられて、アーム部４に対する放音部２の上下方向の位置を規定可能となっている。この孔部３ｄをアーム部４と放音部２との接続部と呼称する。【００５５】
放音部２は、合成樹脂製の硬質の略カップ状のケース３と、ケース３の内側端（使用者の耳に近い側の端部）３ａに固定された合成樹脂製の柔軟なイヤパッド７と、ケース３の内部に配設されたスピーカ装置４８（図７）とを備えている。スピーカ装置４８（図７）の振動板４９から音が放射されてイヤパッド７の中央の開口７ａを経て使用者の耳に伝達される。振動板４９の音放射方向は耳に向かう方向である。【００５６】
図３は、図２の放音部２からイヤパッド７を外した状態で、放音部２の内側端の円形の壁部５０におけるケーブル部４３の配線の一例を示し、図４は、ケーブル部４３としてのケーブルユニット（モジュール）を放音部２から離脱させた状態を示している。【００５７】
図３の如く、ケーブル部４３の二本のケーブル４４，４５は、左側の放音部２の内側端（使用者の耳に近い側）の壁部５０の前半の外周側に沿って、放音部２の下部側から上部側にかけて円弧状（略半円状）に配線されている（円弧状のケーブル部分を符号４４ｂ，４５ｂで示す）。円弧状のケーブル部分４４ｂ，４５ｂの径方向外側において、内側端の壁部５０の外周側に、図２のイヤパッド７を固定するための爪部５２が複数、略等ピッチで設けられている。円弧状のケーブル部分４４ｂ，４５ｂは、内側端の壁部５０の前半の各爪部５２の径方向内側に配線されている。爪部５２は、内側端の壁部５０から突出した可撓性の板片５２ａと、板片５２ａの突出先端から径方向外側に向かう爪本体（引っ掛け部）５２ｂとで構成されている。【００５８】
内側端の壁部５０は合成樹脂で各爪部５２と一体に形成されている。内側端の壁部５０は放音部２のケース３の円形環状の壁部（周壁）３ｂの内側端の開口３ｅを覆っている。ケース３の円形環状の壁部３ｂは外側（使用者の耳から遠い側）のテーパ状の壁部３ｆに一体に続き、テーパ状の壁部３ｆは外側端の円形の壁部３ｃ（底壁、図８参照）に一体に続いている。【００５９】
内側端の壁部５０には、放射状のリブ５３ａと円形のリブ５３ｂとの間に形成された開口５４と、開口５４の径方向外側に設けられた複数の小孔５５とが配置されて、例えばケース内部のスピーカ装置４８（図７）の振動板４９の音放射が均一化される。図３の円弧状のケーブル部分４４ｂ，４５ｂは振動板４９（図７）の外周部４９ａよりも径方向外側に配置されている（図７参照）。これにより、円弧状のケーブル部分４４ｂ，４５ｂが振動板４９の音放射を邪魔する心配がなくなる。【００６０】
図４の如く、内側端の壁部５０の前半の各小孔５５の径方向外側に円弧状に溝部５６が設けられ、図３の如く、溝部５６内に前記円弧状のケーブル部分４４ｂ，４５ｂが収容されている。円弧状のケーブル部分４４ｂ，４５ｂは、下側のブロック部５７と、ブロック部５７の下側に突出された管部５８との内部を通って放音部２から下側に導出されている。図４の如く、内側端の壁部５０には、ブロック部５７を収容する凹部５９が溝部５６に続いて設けられ、凹部５９に続いて、管部５８を挿通させる切欠部６０がケース３の環状の壁部３ｂの下部側に設けられている。【００６１】
本例において、切欠部６０はケース３の下端部に設けられ、図３の如く、ブロック部５７に続く少なくとも管部５８は、アーム部４の下半部の内側面（使用者の耳に近い側の面）４ａに沿って（アーム部４で外部から隠されるように）配線されている。「内側」とは、放音部２の軸方向に沿って使用者の耳に近い側であり、外側はその逆である。【００６２】
図４の如く、円弧状の溝部５６は、内側端の壁部５０の上部側において上向きに湾曲した短い溝部５６ａに続き、上向きの溝部５６ａはケース３の環状の壁部３ｂの上部側の切欠部６１に連通している。本例の上向きの溝部５６ａと上側の切欠部６１とはケース３のほぼ上端部に配置されている。【００６３】
図３の如く、上向きの溝部５６ａ及び切欠部６１から上向きに導出された二本のケーブル４４，４５は、アーム部４の上半部の内側面（使用者の耳に近い側の面）４ｃに沿って配置されて、アーム部４で外部から隠されている（アーム部４の陰になっている）。二本のケーブル４４，４５のうちの一のケーブル４５はアーム部４の上半部の内側面４ｃに沿って回転機構５の内側を経てヘッドバンド部６（図８）の内側を通って、他方の放音部２（図８参照）に案内されている。他方の放音部２（図８）にはケーブル部４３を収容しないので、溝部５６の形成は不要である。【００６４】
また、他のケーブル４４は下向きに逆Ｕ字状に折り返されて、先端のケーブル側コネクタ４６で放音部側コネクタ２４（図８参照）に接続されている。この他のケーブル４４とそのケーブル側コネクタ４６と放音部コネクタ２４（図８）とは、アーム部４の内側（使用者の耳に近い側）に配置されており、アーム部４で外部から隠されている（アーム部４の陰になっている）。これによって、使用者が放音部２を持って耳に押し当てる等した場合に、放音部２の上部から導出された各ケーブル４４，４５やそのケーブル側コネクタ４６が、使用者の手指に干渉したり引っ掛かったりすることが防止される。【００６５】
また、放音部側コネクタ２４（図８）とそれに接続したケーブル側コネクタ４６とは、放音部２の上端部（頂部）よりも後側に配置されている。「後側」とは、放音部２を耳に当てた使用者からみて（使用者に対して）後側という意味である。例えばアーム部４の後端４ｄに沿って、あるいはアーム部４の後端４ｄよりも後側に放音部側コネクタ２４（図８）とそれに接続したケーブル側コネクタ４６とが配置されている。ケーブル側コネクタ４６が放音部２の後側に配置されたことで、ケーブル側コネクタ４６がアーム部４にぶつからないようになっており、また、人間工学的にみて使用者が放音部２を掴みやすく（持ちやすく）なっている。また、使用者の手指がケーブル側コネクタ４６に当りにくく（干渉しにくく）なっている。【００６６】
また、円弧状の溝部５６内に二本のケーブル４４，４５が収容された状態で、図２の如くイヤパッド７で覆われて外部から保護されることで、ケーブル部分４４ｂ，４５ｂの外部への露出がなくなって、ケーブル部分４４ｂ，４５ｂが使用者の手指に絡んだり干渉したりすることが防止されている。【００６７】
例えばＤＪ（ディスクジョッキ）用ヘッドホン等のプロ用ヘッドホン（１）においては、左右の放音部２を左右の耳に装着したままじっと音楽を聞くという静的な使われ方をするだけではない。ＤＪの現場におけるヘッドホン装置１の使われ方の例としては、例えば以下に示すようなものが挙げられる。【００６８】
・ヘッドホン装置１を片耳に装着している使用者が周囲の音を聞くために、片方の放音部２を手で耳に固定し、もう片方の放音部２を手で例えば前後方向に押して耳から離脱させる。
・ヘッドホン装置１を使用者の首に掛けたまま片方の放音部２のみを耳に当てる。
・ヘッドホン装置１の片方の放音部２のみを片手で掴んで頻繁に耳に当てたり耳から離したりする。
・置いた状態のヘッドホン装置１の片方の放音部２を手で掴んで耳に当て、すぐに置いた状態にする。【００６９】
上記のように、極めて動的な使われ方がされる場合がある。このように、ヘッドホン装置１の放音部２を素早く動かしたり、耳への装着・非装着を頻繁に切り替えたりする動的な使われ方がなされる。【００７０】
本実施例のヘッドホン装置１によって、これら動的な使われ方がなされた場合でも、ケーブル部４３の引っ掛かりや外部との干渉が防止されて、断線等といった不具合が生じにくくなっている。【００７１】
図４の如く、円弧状の溝部５６の径方向外側面５６ｂに続いて、イヤパッド固定用の爪部５２の径方向内側面５２ｃが配置されている。二本のケーブル４４，４５は爪部５２の径方向内側面５２ｃに沿って溝部５６内にスムーズに挿入案内される。また、ケーブル４４，４５が溝部５６から浮き上がった場合でも、爪部５２の径方向内側面５２ｃに沿ってケーブル４４，４５が接触することで、ケース３からのケーブル４４，４５の脱落が防止されると共に、イヤパッド７をケース３に組み付ける際に、イヤパッド７とケース側の内側端の壁部５０との間へのケーブル４４，４５の挟み込みが防止される。これらによって、放音部２へのケーブル部４３の組付作業性が高まる。【００７２】
円弧状の溝部５６はその下部側においてテーパ状に拡幅されて（拡幅部を符号５６ｃで示す）、略矩形状の凹部５９に続いている。凹部５９の後半側に突壁５９ａが設けられ、突壁５９ａに雌ねじ孔５９ｂが設けられている（タッピングねじをねじ込むための下孔であってもよい）。雌ねじ孔５９ｂにブロック部５７が雄ねじ部材６２で締付固定される。凹部５９はケース３の環状の壁部３ｂと径方向内側の環状のリブ５３ｂとの間に形成され、ブロック部５７は略扇状の矩形状に形成されている。【００７３】
二本のケーブル４４，４５はブロック部５７の前側の壁部５７ａから上下並列に導出された後、前側の壁部５７ａを支点に、図４で反時計回りに捩られて（捩り部を符号４５ｃで示す）、ケース３の軸方向に左右並列に重ねた状態で溝部５６に収容される。ここで「上下」とは例えばアーム部４の長手方向であり、「左右」とはアーム部４の板厚方向すなわち溝部５６の深さ方向である。【００７４】
溝部５６の底面５６ｄ（図７）に沿って（接触して）配線されるケーブル４４は、溝部５６の上部からケース３の外部に導出された後、下向きに折り返され（折り返し部を符号４４ａで示す）、先端側のケーブル側コネクタ４６が同じケース３の放音部側コネクタ２４（図８）に挿入接続される。【００７５】
ケーブル側コネクタ４６は、雄型（ピン状）の端子部４６ａと、端子部４６ａを覆い、端子部４６ａの先端側を外部に突出（露出）させた絶縁樹脂部４６ｂとで構成されている。放音部側コネクタ２４（図８）は、ケース３の環状の壁部３ｂに設けられた有底の穴部と、穴部内に配置された雌型の端子部（図示せず）とで構成されている。放音部側コネクタ２４（図８）の端子部は、放音部２内のスピーカ装置４８（図７）の不図示のボイスコイルに電気的に接続されている。【００７６】
溝部５６の開口５６ｅ側（内側端の壁部５０の表面に近い側）に沿って配線されるケーブル４５は、溝部５６の上部からケース３の外部に導出された後、アーム部４の上半の内側面４ｃとヘッドバンド部６（図８）の内側面とに沿って他方の放音部２（図８）に配線され、先端側のケーブル側コネクタ４６が他方の放音部側コネクタ２４に挿入接続される。【００７７】
ブロック部５７と、ブロック部５７から上向きに配線された二本のケーブル４４，４５と、各ケーブル４４，４５の先端に設けられた各ケーブル側コネクタ４６と、ブロック部５７から下向きに配線されたケーブル部分４７と、ケーブル部分４７の先端に設けられた不図示のコネクタとで、ケーブル部４３すなわちケーブルユニット（ケーブルモジュール）が構成されている。【００７８】
例えば、ケーブル４４，４５が断線等の不具合を生じた場合、使用者はケーブルユニット４３を購入して、あるいは予備のケーブルユニット４３を用いて、不具合を生じたケーブルユニット４３と交換する。【００７９】
ケーブルユニット４３の交換に際しては、イヤパッド７をケース３から外し、ブロック部５７の雄ねじ部材６２を不図示のドライバ等で緩めて、例えば、ブロック部５７の下側に続くケーブル部分４７をケース３の軸方向内側に向けて（使用者の耳に向かう側に）引っ張ることで、ブロック部５７と共に、二本の円弧状のケーブル部分４４ｂ，４５ｂが溝部５６から簡単に離脱する。二本のケーブル４４，４５の先端の各ケーブル側コネクタ４６を各放音部２の放音部側コネクタ２４（図８）から離脱させる（コネクタ４６の離脱は事前に行っても可）。このようにして、不具合のケーブルユニット４３をヘッドホン装置１から容易に取り外すことができる。【００８０】
新しいケーブルユニット４３の取り付けは、上記とは逆に、ブロック部５７を凹部５９に嵌めて雄ねじ部材６２で固定し、二本のケーブル４４，４５を溝部５６に沿って円弧状に屈曲させながら収容し（この際、二本のケーブル４４，４５は左右（内外）方向に重ねて並ぶように溝部５６内に押し込む。二本のケーブル４４，４５の絶縁外皮は重ね方向に接着されていてもよい）、次いで、イヤパッド７をケース３側に組み付け、各ケーブル側コネクタ４６を各放音部側コネクタ２４（図８）に挿入接続する。【００８１】
図５は、イヤパッド７とケース３側との固定構造の一例を示すものである。【００８２】
図５の如く、イヤパッド７は、断面略半円状の円形環状の合成樹脂製の柔軟なパッド本体６３と、パッド本体６３の外側端（使用者の耳から遠い側）の開口７ｂを塞ぐように配置された合成樹脂製の柔軟（弾性）ないし少し硬質な円形環状の板状のクッション部材６４（図７参照）とで構成されている。【００８３】
クッション部材６４は中央側の環状のテーパ壁６４ａを有し、テーパ壁６４ａは中央の開口７ａに向かっている。ケース側の内側端の壁部５０に突出形成された各爪部５２を挿入嵌合させる細長矩形状の各孔部６５が、クッション部材６４に設けられている。孔部６５の入口側の径方向外側の内面６５ａには径方向内向きの爪本体６６（図７参照）が設けられている。【００８４】
ケース３側の各爪部５２をイヤパッド７側の各孔部６５に挿入することで、爪部５２の径方向外向きの爪本体５２ｂが孔部６５内の径方向内向きの爪本体６６に嵌合して、イヤパッド７がケース３に固定（ロック）される。ケース３からイヤパッド７を離脱（ロック解除）させる場合は、例えばイヤパッド７の中央の開口７ａに手指を入れて孔部６５を径方向外向きに弾性的に押すことで、爪部５２が、孔部６５との間に生じた隙間からスムーズに離脱する。「径方向」とは、ケース３ないしイヤパッド７の径方向のことである。【００８５】
図６は、前記図３のケーブルユニット（ケーブル部）４３のブロック部５７の固定構造の一例を拡大して示すものである。【００８６】
ブロック部５７は雄ねじ部材６２で内側端の壁部５０の凹部５９内に固定され、ブロック部５７から下向きに続くケーブル部分４７がケース３の下側の切欠部６０から外部に導出され、ブロック部５７の前端側の突壁５７ａから二本のケーブル４４，４５が溝部５６内に導入されている。二本のケーブル４４，４５はブロック部５７の内部で下向きに屈曲して下向きのケーブル部分４３の絶縁性の管部５８内に挿通されている。各ケーブル４４，４５は絶縁被覆とその内側に挿通された不図示の金属導線とで構成されている。ブロック部５７と凹部５９とは略矩形扇状に形成されている。【００８７】
凹部５９に続く溝部５６の下部側の拡幅部５９ｃにブロック部５７の突壁５７ａが嵌まり、拡幅部５９ｃに続く溝部５６のテーパ状の（上に向かうにつれて漸次幅狭となっている）拡幅部５６ｃにおいて、突壁５７から導出された二本のケーブル４４，４５の付根部が横二列（溝部５６の幅方向に並列に並んだ状態）から縦二列（溝部５６の深さ方向に並列に並んだ状態）に９０°方向に捩られて収容されている。縦二列の状態で二本のケーブル４４，４５が円弧状の溝部５６内に収容されている。図６で、符号４ａは、アーム部４の下半側部分を示し、符号？は、アーム部４を上下に貫通させたケース３の孔部３ｄの下端側の溝状の開口３ｄ１を示している。【００８８】
図７は、図６の例えば矢視Ｄ−Ｄ相当の断面図であり、二本のケーブル４４，４５が通る溝部５６と、溝部５６からのケーブル４４，４５の浮き防止構造を主に示すものである。【００８９】
スピーカ装置４８の振動板４９の内側（使用者の耳に使い側）にケース３の内側端の壁部５０が対向して配置され、振動板４９の外周部４９ａよりも径方向外側において、内側端の壁部５０に断面Ｕ字状の溝部５６が設けられている。内側端の壁部５０からケース３の軸方向外側に突出して一体に続く断面Ｕ字状の壁部６７の内側に溝部５６が形成されている。二本のケーブル４４，４５を溝部５６内に縦に（深さ方向に）重ねて配置した際に、溝部５６の内端の開口５６ｅ側のケーブル４５が内側端の壁部５０の表面と略同一面に位置する程度（溝部５６の内端の開口５６ｅから若干突出しても可）に、溝部５６の深さが規定されている。溝部５６の幅は各ケーブル４４，４５の外径よりも少し大きく規定されている。【００９０】
二本のケーブル４４，４５を溝部５６内に放音部２の径方向ではなく軸方向に重ねて配列したことで、放音部２が径方向に省スペース化、コンパクト化される。溝部５６はケース３内の空間６８を利用して掘り下げているので、放音部２が軸方向に肥大化する心配はない。【００９１】
振動板４９に対向する内側端の壁部５０の中央側の部分（放音用の開口５４や小孔５５のある部分）を除いて、内側端の壁部５０の径方向外側部分の表面と、ケース３の環状の周壁３ｂの内側端の鍔部６９の表面とに、イヤパッド側のクッション部材６４（図５参照）が配置されて、内側端の壁部５０の爪部５２で固定されている。クッション部材６４の孔部６５内の径方向内向きの爪本体６６に、爪部５２の径方向外向きの爪本体５２ｂが嵌合している。【００９２】
この状態で、クッション部材６４が内側端の壁部５０の表面に接触ないし密着し、クッション部材６４の裏面６４ｂが溝部５６の開口５６ｅを塞いで（覆って）、溝部５６からのケーブル４４，４５の浮き上がりや飛び出しを防止している。これにより、ヘッドホン装置１の使用時における溝部５６からのケーブル４４，４５の飛び出しや溝部５６内でのケーブル４４，４５のガタ付き等が防止されて、ケーブル４４，４５の損傷や異音の発生等が防止される。【００９３】
ケース３の周壁３ｂの開口端の径方向内側に段部７０が設けられ、段部７０に内側端の壁部５０の外周部５０ｇが嵌合して支持されている。内側端の壁部５０の中央の裏側に、振動板４９と、振動板４９に接続された不図示のボイスコイルと、振動板４９よりも軸方向外側のマグネットやヨーク等が配置されて、スピーカ装置４８が構成されている。図７で、符号７１は例えばスピーカ装置４８を支持する支柱を示す。【００９４】
（第２実施例）  上記第１実施例においては、放音部２のケース３のほぼ下端位置に、ケーブルユニット（ケーブル部）４３の下側のケーブル部分４７を導出させる下側の切欠部６０を設け、下側の切欠部６０とはほぼ１８０°方向のケース３のほぼ上端位置に、ケーブルユニット４３の二本のケーブル４４，４５を導出させる上側の切欠部６１を設けたが、第２実施例においては、図３において、ケース３のほぼ下端位置の下側の切欠部６０から反時計回りに１８０°以上（１９０°程度でもよい）位相したケース３の上部側に上側の切欠部６１を設ける。【００９５】
上側の切欠部６１から上向きに導出された二本のケーブル４４，４５は、アーム部４の内側面４ｃに対向して位置することが好ましい。アーム部４の後端４ｄの内側又はアーム部４の前端の内側に沿って各ケーブル４４，４５が配置されてもよい。これらにより、各ケーブル４４，４５が外部からアーム部４の内側（裏側）に隠されて、使用者の手指等の引っ掛かりが防止される。この場合、ケーブル側コネクタ４６はアーム部４の後端４ｄよりも後方に配置されるが、アーム部４に対してケーブル側コネクタ４６が放音部２の前側に位置するよりも後側に配置された方が、手指等との干渉が抑止される。【００９６】
また、ケース３の下側の切欠部６０をケース３の下端（真下）よりも少し前側又は少し後側に配置することも可能である。その場合、下側の切欠部６０から導出された下側のケーブル部分４７は、手指等との干渉防止のためにアーム部４の内側に配置されることが好ましく、アーム部４の前端又は後端の内側に沿って配置されてもよい。「後側」とは、放音部２を耳に当てた使用者からみて（使用者に対して）後側という意味である。【００９７】
（第３実施例）  上記第１実施例においては、各アーム部３を介して左右一対の放音部２を共通のヘッドバンド部６（図８）で連結させたが、第３実施例においては、ヘッドバンド部６を用いず、左右の放音部２又は片方（右又は左）の放音部２のみを耳掛け式に使用者の耳に固定する。ヘッドバンド部６に代わる耳掛け部は左右独立していてもよく、ヘッドバンド部６のように左右連結されていてもよい。片方の放音部２のみを使用する場合は、二本のケーブル４４，４５に代えて一本のケーブル４４を使用する。【００９８】
以下に、図８〜図１０に基づいて、本発明の第２実施形態の実施例に係るヘッドホン装置について説明する。なお、第２実施例以降においては、第１実施例と同様ないし類似の構成部分に便宜上、第１実施例と同じ符号を用いて説明する。第２実施例以降の図示は省略する。また、上記第１実施形態と同じ構成部分には同じ符号を付して説明する。【００９９】
（第１実施例）  図８は、本発明の第１実施例のヘッドホン装置１を示すものである。図９は、同じくヘッドホン装置１の要部を示し、図１０は、図９のＡ−Ａ断面の概略形状を示している。【０１００】
図８の如く、このヘッドホン装置１は、左右一対の放音部２と、各放音部２のケース３を上下方向に貫通して、上下方向スライド移動可能に設けられた合成樹脂製の硬質な各アーム部４と、各アーム部４の上端部に各回転機構５を介して連結された合成樹脂製のヘッドバンド部６とを備えている。【０１０１】
各放音部２は、合成樹脂製の硬質な略カップ状のケース３と、ケース３の内側端３ａに設けられた合成樹脂製等の柔軟なイヤパッド７とを備えている。ケース３の「内側端」とは、使用者の耳（図示せず）に近い側の端部である。【０１０２】
ケース３は、円形環状の周壁３ｂと、周壁３ｂから外側の略テーパ状の壁部を経て続く平坦な外側壁（底壁）３ｃとを備えている。ケース３の内部には、振動板や、振動板に接続されたボイスコイル等といった不図示の部品が配設されている。ボイスコイルに接続されるケーブルは図示を省略している。ケース３には、ケーブルを電気的に接続するための孔状のコネクタ２４が設けられている。【０１０３】
各アーム部４は細長板状のもので、各アーム部４の内側面４ａには断面三角形状の突起４ｂがアーム長手方向に複数並列に設けられている。アーム部４の「内側面」とは、使用者の耳に近い側の面である。また、突起４ｂに弾性的に嵌合する位置決め用の固定部（図示せず）が、各ケース３の上下方向に貫通した孔部３ｄ内に設けられている。これにより、アーム部４に対して放音部２を上下方向にスライド式に位置決め自在である。アーム部４はケース３の孔部３ｄから上向きに抜き出し可能である。【０１０４】
アーム部４の上端部すなわちアーム部側回転部８はその他のアーム部分よりも前後方向に幅広で且つ略円形状に形成されている。放音部２はアーム部４を介してヘッドバンド部６に接続されている。【０１０５】
ヘッドバンド部６は、使用者の頭部（図示せず）の形状に沿うように湾曲状に形成されている。ヘッドバンド部６の内側（下側）面に湾曲状のクッション材９が設けられている。クッション材９よりも下方に延長されたバンド部分６ａには、下方に向かうにつれて漸次幅広となった正面視で三角形状のリブ１０が前後に設けられると共に、前後の補強リブ１０の下端を連結して上向きに凸となった湾曲状の底壁１１が設けられている。底壁１１は上側のバンド部分６ｂよりも左右方向に幅広に形成されている。【０１０６】
さらに、図９にも示す如く、底壁１１から下向きに左右一対（内外）の壁部１２，１３が対向して設けられ、左右一対の壁部１２，１３の間にスリット状の隙間１４が形成されている。一対の壁部１２，１３はヘッドバンド部６の下端部を成し、一対の壁部１２，１３の下半部は側面視で略半円状に形成されている。一対の壁部１２，１３の間の隙間１４に、アーム部４の上端部（アーム部側回転部）８が下から上向きに挿入されて回転自在となっている。ヘッドバンド部６に対してアーム部４は放音部２の径方向（使用者の前後方向）に回転移動自在である。【０１０７】
ヘッドバンド部６の下端部における少なくとも左右一対の壁部１２，１３とその間の隙間１４とその上側の底壁（連結壁）１１とでヘッドバンド部側回転部１５を構成し、アーム部４の略円形状の上端部がアーム部側回転部８を構成している。アーム部側回転部８の上端側の周面８ａは、ヘッドバンド部側回転部１５の底壁１１の円弧状の下面１１ａに沿って回転自在に位置している。【０１０８】
ヘッドバンド部側回転部１５の左右一対の壁部１２，１３のうちの内側（使用者の頭部に近い側）の壁部１２の内側の面に円形の浅い凹部（溝部）１６が形成されている。左右一対の壁部１，１３のうちの外側の壁部１３の外側の面にも同様の浅い凹部１７（図１０参照）が形成されている。内側の壁部１２の凹部１６には内側カバー部材１８が嵌まり、外側の壁部１３の凹部１７（図１０）には外側カバー部材１９が嵌まる。【０１０９】
各凹部１６，１７と同心に左右一対の壁部１２，１３の中央に孔部２０が設けられている。孔部２０は少なくとも内側の壁部１２において段差状（異形）に形成され、段差状の孔部は内側（使用者の頭部に近い側）の大径孔２０ａと外側の小径孔２０ｂとで成り、左右（内外）の壁部１２，１３の各孔部２０は、上下の平行な各平坦面２０ｃと、各平坦面２０ｃを結ぶ前後の円弧面２０ｄとで構成されている。孔部２０と同軸（同心）に、アーム部側回転部８に円形の孔部２１が設けられている。円形の孔部２１の内径と異形の孔部２０の内径とは同一である。【０１１０】
また、上記孔部２０，２１よりも下側すなわちアーム部側回転部８の付根８ｂ寄り（放音部２寄り）の位置において、ヘッドバンド部側回転部１５の左右一対の壁部１２，１３とアーム部側回転部８とに同心に貫通して、上記孔部２０，２１よりも小径な断面円形の孔部２２，２３が設けられている。この小径な孔部２２，２３にはロックピン２５が挿入される。【０１１１】
ロックピン２５とそれを挿入する各孔部２２，２３とで、ヘッドバンド部６に対するアーム部４の回転移動（又はアーム部４に対するヘッドバンド部６の回転移動）を阻止するための制御部２６が構成されている。この制御部２６は、左右両方のチャンネル（伝送路）における各ヘッドバンド部側回転部１５と各アーム部側回転部８に設けられている。ヘッドバンド部側回転部１５の孔部２２を第一の孔部、アーム部側回転部８の孔部２３を第二の孔部と呼称する。【０１１２】
ロックピン２５は、ヘッドバンド部側回転部１５の内側の壁部１２の孔部２２からアーム部側回転部８の孔部２３を経てヘッドバンド部側回転部１５の外側の壁部１３の孔部２２にかけて挿入される。外側カバー部材１９をヘッドバンド部側回転部１５の外側の壁部１３に組み付けた後、ロックピン２５が挿入される。ロックピン２５は例えば使用者によって適宜、右側の回転機構５及び／又は左側の回転機構５に組み付けられる。【０１１３】
ロックピン２５は例えば金属又は硬質な合成樹脂で均一な外径の円柱状に形成されている。ロックピン２５の外径は各孔部２２，２３の内径よりも若干小さく規定されている。ロックピン２５の長さは、内側の壁部１２の凹部１６の表面１６ａから外側の壁部１３の凹部１７（図１０）の表面１７ａまでの距離と同等ないしそれよりも若干短い。ロックピン２５の左右の各端部にはテーパ面取り２５ａが形成されている。【０１１４】
ロックピン挿入用の孔部２２，２３をアーム部側回転部８の上端側ではなく下端側すなわちアーム部側回転部８の付根８ｂ寄りに配置した理由は、例えば孔部２２，２３をアーム部側回転部８の上端側（自由端側）に設けた場合は、ロックピン２５と孔部２２，２３にかかる回転方向の力でアーム部側回転部８の上端側の部分が脆くなって破損し兼ねないからである。【０１１５】
孔部２２はヘッドバンド部側回転部１５の下端側（自由端側）に設けられているが、ヘッドバンド部側回転部１５は左右一対の壁部１２，１３を備え、両壁部１２，１３に孔部２２が貫通して設けられているので、孔部２２における強度は確保されており、問題はない。【０１１６】
孔部２２，２３をアーム部側回転部８の下端側に配置したことで、回転方向の強い力がロックピン２５と孔部２２，２３に作用した場合でも、孔部２２，２３がガイドピン２５をしっかりと受け止めて、両回転部８，１５が破損等を起こすことなく、ヘッドバンド部６に対するアーム部４の回転、又はアーム部４に対するヘッドバンド部６の回転を確実に阻止する。【０１１７】
外側カバー部材（キャップ）１９は合成樹脂で硬質に形成され、テーパ状の壁部２７と、テーパ状の壁部２７の内側を補強する放射状のリブ２８と、テーパ状の壁部２７の内側端の円形環状の面２７ａと、テーパ状の壁部２７の中心から内向きに突出した軸部２９とを備えている。軸部２９は、回り止め用の上下の平行な平坦面２９ａと、上下の平坦面２９ａを結ぶ前後の円弧面２９ｂとを有している。【０１１８】
軸部２９の上下の平坦面２９ａが、ヘッドバンド部側回転部１５の孔部２０の上下の平坦面２０ｃに接することで、ヘッドバンド部側回転部１５に対して外側カバー部材１９が回転不能に固定され、軸部２９の前後の円弧面２９ｂが、ヘッドバンド部側回転部１５とアーム部側回転部８との各孔部２０，２１の前後の円弧面２０ｄ，２１ａに接することで、アーム部側回転部８がヘッドバンド部側回転部１５に対して前後方向回転自在に支持される。【０１１９】
外側カバー部材１９の軸部２９の中心には、軸部先端面２９ｃから軸方向に小さな孔部３０が設けられ、孔部３０に内側カバー部材１８側の金属製のボルト（固定部材ないし雄ねじ部材ないし回転軸体）３１がねじ込まれる。孔部３０には予め雌ねじを形成しておくか、あるいは孔部３０をボルト３１よりも小径に形成して、ボルト３１をタッピングねじとして作用させて孔部３０にねじ込む。孔部３０の内側において軸部２９にナット（図示せず）を埋設することも可能である。ボルト３１は雄ねじ軸部３１ａと円形の頭部３１ｂとで成り、頭部３１ｂはマイナスドライバ等を嵌める溝３１ｃを有する。【０１２０】
内側カバー部材１８は合成樹脂で硬質に形成され、ヘッドバンド部側回転部１５の内側の壁部１２の凹部１６よりも少し小径な円形の周部１８ａを有し、中心に円形のボルト挿通孔３２を有している。内側カバー部材１８の内端側（使用者の頭部に近い側）にはボルト３１の頭部３１ｂを嵌める凹部１８ｂが形成されている。内側カバー部材３１の外側端には、ヘッドバンド部側回転部１５の内側の壁部１２の段差状の孔部２０の大径部分２０ａに嵌まる回り止めの凸部（図示せず）を設けることが好ましい。【０１２１】
内側のカバー部材１８の外側（使用者の頭部から遠い側）の面はヘッドバンド部側回転部１５の内側の壁部１２のロックピン挿入用の孔部２２の開口を覆い、外側のカバー部材１９の内側の環状面２７ａは外側の壁部１３のロックピン挿入用の孔部２２の開口を覆う。両カバー部材１８，１９は、ロックピン２５に対する抜け出し防止用の部材としても作用する。【０１２２】
ヘッドバンド部側回転部１５とアーム部側回転部８と、軸部２９を有する外側カバー部材１９と、内側カバー部材１８とボルト３１とで、回転機構５が構成されている。この回転機構５はヘッドホン装置１の左右両側のチャンネルにおいて対称に配設されている。【０１２３】
図１０に示す如く、ヘッドバンド部側回転部１５の左右（内外）の壁部１２，１３の間にアーム部側回転部８が挿入配置され、外側カバー部材１９がヘッドバンド部側回転部１５の外側の壁部１３に組み付けられ、外側カバー部材１９の軸部２９が外側の壁部１３とアーム部側回転部８と内側の壁部１２との各孔部２０，２１を貫通し、外側カバー部材１９の内端面２７ａが外側の壁部１３の凹部１７の外面１７ａに接触する。【０１２４】
軸部２９によってヘッドバンド部側回転部１５とアーム部側回転部８とが回転自在に支持される。軸部２９の先端２９ｃは内側の壁部１２の内端面１６ａよりも外側（図１０で右側）に位置する（内側の壁部１２の内端面１６ａから突出しない）。【０１２５】
この状態で、ロックピン２５が内側から外側に向けてヘッドバンド部側回転部１５とアーム部側回転部８との小径な各孔部２２，２３に沿って挿入される。ロックピン２５の挿入先端（外側端）２５ｂは外側カバー部材１９の内端面２７ａに接触してそれ以上の挿入が阻止される。【０１２６】
次いで、内側カバー部材１８が内側の壁部１２の凹部１６に組み付けられ、ボルト（図９）３１が矢印Ｂの如く内側カバー部材１８の孔部３２を通って、ヘッドバンド部側回転部１５とアーム部側回転部８との大径な孔部２０，２１内に嵌合した外側カバー部材１９の軸部２９の中心の孔部３０にねじ込まれる。【０１２７】
これにより、ヘッドバンド部側回転部１５とアーム部側回転部８との大径な孔部２０，２１からの軸部２９の抜け出しが阻止される。また、内側カバー部材１８の外端面１８ｃがロックピン２５の内端面２５ａに近接ないし接触して、ロックピン２５の内外方向への抜け出しが阻止される。【０１２８】
ロックピン２５がヘッドバンド部側回転部１５とアーム部側回転部８との各孔部２２，２３に嵌まることで、ヘッドバンド部側回転部１５とアーム部側回転部８との回転移動（ヘッドバンド部側回転部１５に対するアーム部側回転部８の回転や、アーム部側回転部８に対するヘッドバンド部側回転部１５の回転）が阻止される。【０１２９】
前述の如く、ロックピン挿入用の孔部２３をアーム部側回転部８の上端側（剛性の低い部位）ではなく、中心の孔部２１よりも下側の位置（剛性の高い部位）に設けたことで、ロックピン２５に強い回転力が作用した場合におけるアーム部側回転部８の上端側の破損の心配が解消される。【０１３０】
上記実施例のヘッドホン装置１は左右のロックピン２５を挿入する前の状態で使用者に提供される。例えば、ＤＪ（使用者）が左右何れか一方のチャンネルの回転機構５のボルト３１を緩め外して、内側カバー部材１８を外し、ロックピン２５を孔部２２，２３に挿入して、内側カバー部材１８をボルト１８で締め直し、ヘッドバンド部側回転部１５とアーム部側回転部８とをロックピン２５で回動不能にロックさせる。【０１３１】
この状態で、使用者が左右両側の放音部２を左右の各耳に当てて音楽等を聞くこともできるが、左右何れか他方のチャンネルの放音部２を他方の耳から外して、図８の左側に示す放音部２のように前後方向（前方又は後方）に回転移動させて（跳ね上げて）会場等といったホール内の音を直接他方の耳で聞くことが多い。【０１３２】
例えば、ＤＪ（使用者）が一方の手で一方の放音部２とその上側の一方のアーム部４ないしヘッドバンド部分６ａとを同時に掴んで作業を行っている際に、従来においては、一方のヘッドバンド部分６ａに対して一方の放音部２がアーム部４と共に前後方向に回転移動してしまい、一時的に音楽等を聞けなくなってしまうことがあったが、一方の放音部２側のアーム部４とヘッドバンド部６とを連結する回転機構５がロックピン２５でロック（固定）されているので、一方の放音部２が前後方向に回転移動することが防止されて、音楽等の聞き逃しが防止される。【０１３３】
また、従来においては、例えば、他方の放音部２を跳ね上げた勢いでヘッドバンド部６が意に反して前後方向に回転移動したりしやすいが、一方の放音部２側のアーム部４とヘッドバンド部６とを連結する回転機構５がロックピン２５でロック（固定）されているので、ヘッドバンド部６の回転移動が防止されて、ＤＪ（使用者）が作業に集中することができる。【０１３４】
また、例えば、ＤＪ（使用者）が一方の放音部２を一方の手で一方の耳に押し当てて音楽等を聞いている際に、従来においては、ヘッドバンド部６が意に反して前後方向に回転してＤＪの頭部から脱落してしまうことがあったが、一方の放音部２側のアーム部４とヘッドバンド部６とを連結する回転機構５がロックピン２５でロック（固定）されているので、ヘッドバンド部６の回転移動による頭部からの脱落が防止されて、一方の手を一方の放音部２から離した状態でも、頭部に保持されたヘッドバンド部６で一方の放音部２を一方の耳に当てた状態に維持できる（音楽等を聞き続けることができる）。【０１３５】
また、使用者としてＤＪ以外であっても、音楽を静的に聴く場合には、ヘッドホン装置１の左右両方の回転機構５をロックピン２５でロック（固定）しておけば、ヘッドバンド部６に対する左右の各放音部２の意に反する回転移動や、各放音部２に対するヘッドバンド部６の意に反する回転移動が防止されて、音楽をじっくりと鑑賞することができる。【０１３６】
また、従来のように、ヘッドバンド部６に対して左右の各放音部２を自由に回転移動させたい場合は、ヘッドピン２５を挿入しない状態でヘッドホン装置１を使用すればよい。なお、左右どちらの放音部２を耳に当て、左右どちらの放音部２を耳から外すかは、使用者（個人）によって異なる。【０１３７】
上記したように、例えばＤＪ用ヘッドホン等のプロ用ヘッドホンにおいては、左右の放音部２を左右の耳に装着したままじっと音楽を聞くという静的な使われ方をするだけではない。ＤＪの現場におけるヘッドホン装置１の使われ方の例としては、例えば以下に示すようなものが挙げられる。【０１３８】
・ヘッドホン装置１を片耳に装着している使用者が周囲の音を聞くために、片方の放音部２を手で耳に固定し、もう片方の放音部２を手で例えば前後方向に押して耳から離脱させる。
・ヘッドホン装置１を使用者の首に掛けたまま片方の放音部２のみを耳に当てる。
・ヘッドホン装置１の片方の放音部２のみを片手で掴んで頻繁に耳に当てたり耳から離したりする。
・置いた状態のヘッドホン装置１の片方の放音部２を手で掴んで耳に当て、すぐに置いた状態にする。【０１３９】
上記のように、極めて動的な使われ方がされる場合がある。このように、ヘッドホン装置１の放音部２を素早く動かしたり、耳への装着・非装着を頻繁に切り替えたりする動的な使われ方がなされる。【０１４０】
本実施例のヘッドホン装置１によって、これら動的な使われ方がなされた場合でも、ヘッドバンド部６に対する何れか片方の放音部２の意に反する回転移動や、何れか片方の放音部２に対するヘッドバンド部６の意に反する回転移動を確実に防止することができる。また、使用者の好みやニーズに合わせて、左側又は右側、あるいは両方の回転機構５が制御部２６によって回転不能に固定される。これによって、ＤＪ操作を集中して正確に行わせることができる。【０１４１】
（第２実施例）  上記第１実施例のヘッドホン装置１においては、アーム部４の回転を制御するための制御部２６として、ロックピン２５とそれを挿入する孔部２２，２３とを用いたが、第２実施例ではそれ以外の制御部の構成について説明する。【０１４２】
図１１（ａ）に示す如く、制御部として、金属製の球体７３と、球体７３を付勢するばね部材（圧縮コイルばねが好ましい）７４と、これら球体７３とばね部材７４とを収容し、球体７３をばね部材７４で付勢した状態で半分程度露出（突出）させる筒状のケース７５とを備えるプランジャ７６を用いる。【０１４３】
さらに、プランジャ７６の球体７３を嵌合させる断面半円状の凹部７７ないし貫通孔（図示せず）をアーム部４のアーム部側回転部８に設ける。プランジャ７６と凹部７７ないし貫通孔とで制御部７８が構成される。例えば、プランジャ７６をヘッドバンド部側回転部１５の内側の壁部１２の孔部２２内に固定し、凹部７７（図９の孔部２３でも可）をアーム部４のアーム部側回転部８に設ける。あるいは、プランジャ７６をアーム部側回転部８の孔部２３（図９）内に固定し、凹部７７（孔部２２でも可）をヘッドバンド部側回転部１５に設ける。球体７３を凹部７７に嵌合させた状態で、容易にアーム部４を回転させることができない位に強いばね部材７４を用いることが好ましい。図１１（ａ）で、符号１８は内側カバー部材、符号１９は外側カバー部材を示す。【０１４４】
また、図１１（ｂ）に示す如く、プランジャ７６のケース７５（図１１（ａ））を排除して、例えばアーム部側回転部８に設けた有底の穴部７９に、ばね部材７４を収容すると共に、例えば球体７３よりも長いピン状の部材８０を進退可能に収容する。符号８０ａはばね固定部を示す。ヘッドバンド部側回転部１５の例えば内側の壁部１２に、ピン状の部材８０を進入させる貫通孔８１を設ける。ピン状の部材８０の方が球体７３よりも貫通孔８１又は凹部に深く進入するので、回動機構５の回転抑止力が高まる。貫通孔８１を用いれば、貫通孔８１に治具棒等を挿入してピン状の部材８０の先端をばね部材７９の付勢力に抗して押すことで、貫通孔８１とピン状の部材８０とのロックを容易に解除することができる。【０１４５】
（第３実施例）  図１２に示す如く、制御部として、第１実施例のロックピン２５に代えてボルト８２を用いる。内側カバー部材１８（図９）の中心のボルト挿通用の孔部３２の下側に設けたボルト挿通孔８３を経て、ボルト８２の雄ねじ部分８２ａないし軸部をヘッドバンド部側回転部１５の内側の壁部１２の孔部２２とアーム部側回転部８の孔部２３とに順次挿通して、ヘッドバンド部側回転部１５の外側の壁部１３の孔部２２ａにねじ込んで固定する。孔部２２ａは他の孔部２２，２３よりも小径に形成されている。孔部２２ａに雌ねじ部を予め形成してもよい。ボルト８２の着脱作業は、内側カバー部材１８や外側カバー部材１９を外すことなく容易に行うことができる。【０１４６】
（第４実施例）  図１３ａに示す如く、制御部として、第１実施例のロックピン２５等を用いずに、例えば、アーム部４の上部４ｃ（図８）又はヘッドバンド部６の下部６ａに、矩形筒状のスライド部材８４を上下方向スライド自在に装着する。ヘッドバンド部６の下部６ａの前後の面６ｃ（図８）と、アーム部４の上部４ｃの前後の面４ｄ（図８）とを同時に覆う（各前後の面４ｄ，６ｃに接触する）前後一対の壁部８４ａをスライド部材８４が有している。アーム部４は伸縮可能で放音部２（図８）から上方への突出長さが変動するので、スライド部材８４はヘッドバンド部６に装着することが好ましい。【０１４７】
スライド部材８４をヘッドバンド部側回転部１５とアーム部側回転部８とに向けて矢印のようにスライド移動させ、スライド部材８４の前後一対の壁部８４ａをヘッドバンド部６の下部６ａとアーム部４の上部４ｃとの各前後の面４ｄ，６ｃに接触させることで、両回転部８，１５の回転を阻止（ロック）させる。スライド部材８４はアーム部４又はヘッドバンド部６から外れないので、使用者が紛失する心配がない。回転部８，１５のロックを解除する場合は、スライド部材８４をヘッドバンド部６に沿って移動させて、ヘッドバンド部６の一部として使用することが好ましい。【０１４８】
（第５実施例）  図１３（ｂ）に示す如く、制御部として、図１３（ａ）の第４実施例の矩形筒状のスライド部材８４の左右（内外）何れかの壁部８４ｂの前後方向中央に縦方向の一本の広めのスリット８４ｃを設けて、断面不完全環状とし、且つ上記スライド部材８４よりも前後方向に少し幅狭に形成して、アーム部４の上部４ｃとヘッドバンド部６の下部６ａとにスライド不能に嵌合させる嵌合部材８４Ａを用いる。嵌合部材８４Ａは、アーム部４の上部４ｃの前後の面４ｄとヘッドバンド部６の下部６ａの前後の面６ｃとを同時に覆う長さを有している。【０１４９】
嵌合部材８４Ａをスリット８４ｃから矢印のように前後に撓ませて開いて、図１３（ａ）のヘッドバンド部側回転部１５とアーム部側回転部８に外側から被せ着けることで、嵌合部材８４Ａの前後の壁部８４ａがアーム部４の上部４ｃとヘッドバンド部６の下部６ａとの各前後の面４ｄ，６ｃに同時に接触して、両回転部８，１５の回転を阻止する。両回転部８，１５のロックを解除する場合は、嵌合部材８４Ａをスリット８４ｃから前後に撓ませて開いて回転部８，１５から脱出させる。嵌合部材８４Ａの前後方向幅を上記スライド部材８５と同程度に設定して、スライド部材としてヘッドバンド部６にスライド移動させて着けたままにしておくことも可能である。【０１５０】
（第６実施例）  上記第１実施例のヘッドホン装置１は、ヘッドバンド部６を使用者の頭部の上部（頂部）から耳に向けて下向きに掛けるタイプのものであるが、第６実施例は、ヘッドバンド部６を使用者の頭部の後部から耳に向けて前向きに略水平に掛けるタイプ（耳掛けタイプ）のヘッドホン装置に関するものである（例えば前記特許文献１のヘッドホン装置を参照）。【０１５１】
例えば、図８の左側に示す放音部２のように、ヘッドバンド部６に対して略直交する方向に（９０°ないしその近傍の角度に）回転移動させ、その状態で、ヘッドバンド部側回転部１５とアーム部側回転部８との各孔部２２，２３にロックピン２５を挿入して、両回転部８，１５をロックさせる。【０１５２】
図９において、第１実施例ではヘッドバンド部側回転部１５とアーム部側回転部８との各下側位置にロックピン挿入用の孔部２２，２３を設けたが、第６実施例では、ヘッドバンド部側回転部１５とアーム部側回転部８との各前側位置又は／及び後側位置にロックピン挿入用の孔部２２，２３を設ける。【０１５３】
（第７実施例）  上記第６実施例における制御部として、例えば、ロックピン２５に代えて、上記第３実施例におけるボルト８２を用いることも可能である。また、図１４に示す如く、第５実施例における嵌合部材８４Ａを略Ｌ字状に折り曲げ形成して成る嵌合部材８５を第６実施例における制御部として用いることができる。この嵌合部材８５は、上下の壁部８５ａ，８５ｂと前後の壁部８５ｃ，８５ｄと左右（内外）の壁部８５ｅと、左右何れかの壁部８５ｅに設けられた略Ｌ字状の幅広のスリット８５ｆとで構成されている。嵌合部材８５の上下の壁部８５ａ，８５ｂがヘッドバンド部６の付根側部分６ａの上下の面６ｃに接触し、それと同時に嵌合部材８５の前後の壁部８５ｃ，８５ｄがアーム部４の上部４ｃの前後の面４ｄに接触することで、アーム部側回転部８とヘッドバンド部側回転部１５の回転が阻止される。【０１５４】
（第８実施例）  図１５に示す如く、上記第１実施例におけるアーム部４を放音部２のケース３に一体に且つスライド不能に設ける（一体樹脂成形する）。放音部２と一体のアーム部４がヘッドバンド部６に回転機構５で回転移動自在に接続される。図８のケース３のアーム部貫通用の孔部３ｄや、ケース３の下部から突出したアーム部分（符号４ａの部分）はなくなる。第８の実施例のアーム部４には上記第１〜第７の実施例の制御部を適用可能である（図１５では第１実施例を適用している）。【０１５５】
（第９実施例）  上記第１実施例においては、ヘッドバンド部側回転部１５が左右（内外）一対の壁部１２，１３を有し、アーム側回転部８が、ヘッドバンド部側回転部１５の一対の壁部１２，１３の間に挿入される一枚の壁部で構成されているが、第９実施例においては、図１６に示す如く、アーム部側回転部８が左右（内外）一対の壁部８６，８７を有し、ヘッドバンド部側回転部１５が、アーム部側回転部８の一対の壁部８６，８７の間に挿入される一枚の壁部で構成される。【０１５６】
このアーム部側回転部８の一対の壁部８６，８７とヘッドバンド部側回転部１５とにロックピン挿入用の孔部２２，２３が貫通して設けられる。アーム部側回転部８の一対の壁部８６，８７とヘッドバンド部側回転部１５との中心には、外側カバー部材１９の軸部２９を挿入するための孔部２０，２１が設けられ、ロックピン挿入用の孔部２２，２３は、軸部挿入用の孔部２０，２１よりもヘッドバンド部側回転部１５の付根１５ａ寄りの位置に設けられる。
【符号の説明】
【０１５７】
１          ヘッドホン装置
２          放音部
３          ケース
４          アーム部
５          回転機構
６          ヘッドバンド部
７          イヤパッド
８          アーム部側回転部
８ｂ        付根
１５        ヘッドバンド部側回転部
１８        内側カバー部材（カバー部材）
１９        外側カバー部材（カバー部材）
２０，２１  孔部
２２        孔部（第一の孔部）
２３        孔部（第二の孔部）
２４        放音部側コネクタ
２５        ロックピン
２６        制御部
２９        軸部
３０        孔部
３１        ボルト（固定部材）
４３        ケーブル部
４４，４５  ケーブル
４６        ケーブル側コネクタ
４８        スピーカ装置
４９        振動板
５０        壁部
５６        溝部
５７        ブロック部
５９        凹部
６４        クッション部材
【図１】
2015145775.tif 000003
【図２】
2015145775.tif 000004
【図３】
2015145775.tif 000005
【図４】
2015145775.tif 000006
【図５】
2015145775.tif 000007
【図６】
2015145775.tif 000008
【図７】
2015145775.tif 000009
【図８】
2015145775.tif 000010
【図９】
2015145775.tif 000011
【図１０】
2015145775.tif 000012
【図１１】
2015145775.tif 000013
【図１２】
2015145775.tif 000014
【図１３】
2015145775.tif 000015
【図１４】
2015145775.tif 000016
【図１５】
2015145775.tif 000017
【図１６】
2015145775.tif 000018
【国際調査報告】
2015145775.tif 000019
2015145775.tif 000020
2015145775.tif 000021
2015145775.tif 000022